(57)【要約】      （修正有）【課題】空間のニオイやホコリや温度変化を低減するための空気調和機の技術に関し、空気調和機を有効に利用するための技術を提供する。【解決手段】空気調和機３００と、１または複数の電気機器と、１または複数の電気機器からの情報に基づいて、空気清浄機３００を制御するためのサーバ１００と、を備えるネットワークシステム１が提供される。空気調和機はニオイセンサを含み、ニオイセンサの検知結果よりもサーバ１００からの指示を優先する。【選択図】図１
2020060318.tif 000002
【特許請求の範囲】
【請求項１】
空気調和機と、
１または複数の電気機器と、
前記１または複数の電気機器からの情報に基づいて、前記空気調和機を制御するためのサーバと、を備えるネットワークシステム。
【請求項２】
前記空気調和機は、ニオイセンサを含み、前記ニオイセンサの検知結果よりも前記サーバからの指示を優先する、請求項１に記載のネットワークシステム。
【請求項３】
前記サーバは、前記１または複数の電気機器から発すると予想されるニオイの種類に基づいて、前記空気調和機を制御する、請求項１または２に記載のネットワークシステム。
【請求項４】
前記サーバは、前記１または複数の電気機器から発すると予想されるニオイの程度に基づいて、前記空気調和機を制御する、請求項１から３のいずれか１項に記載のネットワークシステム。
【請求項５】
前記サーバは、前記１または複数の電気機器から発すると予想される室温の変化に基づいて、前記空気調和機を制御する、請求項１から４のいずれか１項に記載のネットワークシステム。
【請求項６】
前記サーバは、前記１または複数の電気機器から発すると予想される室内の空気の汚れの程度に基づいて、前記空調機器を制御する、請求項１から５のいずれか１項に記載のネットワークシステム。
【請求項７】
空気調和機と、１または複数の電気機器と、通信するための通信インターフェイスと、
前記通信インターフェイスを介して、前記１または複数の電気機器からの情報に基づいて、前記空気調和機を制御するためのプロセッサと、を備えるサーバ。
【請求項８】
１または複数の電気機器からの情報を取得するステップと、
前記情報に基づいて、対応する空気調和機を制御するステップと、を備える情報処理方法。
【発明の詳細な説明】
【技術分野】
【０００１】
本発明は、空間のニオイやホコリや温度変化を低減するための空気調和機の技術に関する。
【背景技術】
【０００２】
従来から、空間のニオイを低減するための空気調和機を利用した各種の技術が提案されている。たとえば、特開２００５−１４７７９３号公報（特許文献１）には、匂い測定装置が開示されている。特許文献１によると、匂いに対する感応特性が互いに異なる３種類以上の匂いセンサーと、各匂いセンサーの出力値のデータを処理する演算制御部とを設ける。演算制御部は、無臭基準気体に対する匂いセンサーの出力値に基づいて、被測定気体に対する複数の匂いセンサーの出力値を補正し、複数のセンサー出力補正値それぞれを、平面直交座標系の原点から延びる互いに異なる座標軸上にとり、その座標系の複数の象限それぞれにおいて定義される要素匂いベクトルを得るように、センサー出力補正値のデータを処理する。
【先行技術文献】
【特許文献】
【０００３】
【特許文献１】特開２００５−１４７７９３号公報
【発明の概要】
【発明が解決しようとする課題】
【０００４】
本発明の目的は、空気調和機を有効に利用するための技術を提供することにある。
【課題を解決するための手段】
【０００５】
本発明のある態様に従うと、空気調和機と、１または複数の電気機器と、１または複数の電気機器からの情報に基づいて、空気調和機を制御するためのサーバと、を備えるネットワークシステムが提供される。
【発明の効果】
【０００６】
以上のように、本発明によれば、空気調和機を有効に利用することができる。
【図面の簡単な説明】
【０００７】
【図１】第１の実施の形態にかかるネットワークシステム１の全体構成と動作概要を示すイメージ図である。
【図２】第１の実施の形態にかかるサーバ１００の構成の一態様について説明する。
【図３】第１の実施の形態にかかる制御情報データ１２１を示すイメージ図である。
【図４】第１の実施の形態にかかる制御情報データの具体例を示すイメージ図である。
【図５】第１の実施の形態にかかる機器情報データ１２２を示すイメージ図である。
【図６】第１の実施の形態にかかるサーバ１００における情報処理を示すフローチャートである。
【図７】第１の実施の形態にかかる電気機器２００の構成の一態様について説明する。
【図８】第１の実施の形態にかかる空気清浄機３００の構成の一態様について説明する。
【図９】第１の実施の形態にかかる空気清浄機３００における情報処理を示すフローチャートである。
【図１０】第２の実施の形態にかかる機器情報データ１２２Ｂを示すイメージ図である。
【発明を実施するための形態】
【０００８】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜ネットワークシステム１の全体構成＞
【０００９】
まず、図１を参照して本実施の形態にかかるネットワークシステム１の全体構成について説明する。本実施の形態にかかるネットワークシステム１は、主に、サーバ１００と、電子レンジ２００Ａやエアコン２００Ｂなどの電気機器と、空気調和機と、を含む。電気機器や空気調和機は、ルータ４００やインターネットを介して、サーバ１００とデータ通信可能である。
【００１０】
電気機器は、電子レンジ２００Ａやエアコン２００Ｂなどに限らず、冷蔵庫、洗濯機、掃除機、自動調理鍋、炊飯器、ライト、ペットトイレなどの家電、パーソナルコンピュータ、ハードディスクレコーダ、プロジェクタ、音楽プレーヤー、ゲーム機、スピーカなどのＡＶ（オーディオ・ビジュアル）機器、ＩＨクッキングヒータ、ガスコンロ、天井組み込み照明、太陽光発電機、インターホン、給湯器、換気扇、温水洗浄便座コントローラなどの住宅設備、などであってもよい。以下では、これらの電気機器を総称して電気機器２００ともいう。
【００１１】
また、空気調和機は、空気清浄機、エアコン、冷房装置、暖房装置、加湿器、除湿機などであってもよい。以下では、空気調和機として、空気清浄機能を有する空気清浄機３００を利用する場合について説明する。
＜ネットワークシステム１の動作概要＞
【００１２】
次に、本実施の形態にかかるネットワークシステム１の動作概要について説明する。本実施の形態においては、電気機器２００が、自身の動作の状態や測定結果などをサーバ１００にアップロードする。サーバ１００は、電気機器２００の動作や周囲環境に応じて空気清浄機３００に制御命令を送信する。
【００１３】
たとえば、空気清浄機３００は、通常、ホコリセンサやニオイセンサやユーザの操作命令に応じて各種の運転を実行している。このとき、電子レンジ２００Ａやコンロなどで加熱調理を開始すると、サーバ１００が空気清浄機３００に運転強度を上げるように命令する。これによって、空気清浄機３００は、自身のニオイセンサによってニオイを検知する前から、運転強度を上げることができるため、空間に充満するニオイの程度を低減することができる、すなわちニオイ除去の効果を高めることができる。
【００１４】
以下、このような機能を実現するためのネットワークシステム１の具体的な構成について詳述する。
＜サーバ１００のハードウェア構成＞
【００１５】
まず、本実施の形態にかかるネットワークシステム１を構成するサーバ１００の構成の一態様について説明する。図２を参照して、サーバ１００は、主たる構成要素として、ＣＰＵ（Central Processing Unit）１１０と、メモリ１２０と、操作部１４０と、通信インターフェイス１６０とを含む。
【００１６】
ＣＰＵ１１０は、メモリ１２０に記憶されているプログラムを実行することによって、サーバ１００の各部を制御する。たとえば、ＣＰＵ１１０は、メモリ１２０に格納されているプログラムを実行し、各種のデータを参照することによって、後述する各種の処理を実行する。
【００１７】
メモリ１２０は、各種のＲＡＭ、各種のＲＯＭなどによって実現され、サーバ１００に内包されているものであってもよいし、サーバ１００の各種インターフェイスに着脱可能なものであってもよいし、サーバ１００からアクセス可能な他の装置の記録媒体であってもよい。メモリ１２０は、ＣＰＵ１１０によって実行されるプログラムや、ＣＰＵ１１０によるプログラムの実行により生成されたデータ、入力されたデータ、制御情報データ１２１、機器情報データ１２２、その他の本実施の形態にかかるサービスに利用されるデータベースなどを記憶する。
【００１８】
図３を参照して、本実施の形態にかかる制御情報データ１２１は、たとえば、制御命令毎に、制御命令の識別情報と、空気清浄機３００に対する制御命令と、制御命令を送信すべき条件などの対応関係を含む。条件とは、たとえば、電気機器２００の種類や、電気機器２００の動作情報や測定情報などを含む。
【００１９】
電気機器２００が電子レンジ２００Ａである場合の、具体例として、図４に示すように、制御情報データ１２１には、調理の種類に応じて、空気清浄機３００からの音声メッセージが登録されていたり、空気清浄機３００の運転強度などが登録されていたりする。たとえば、和食を温める場合には空気清浄運転の強度を弱めたり、洋食を温める場合には空気清浄運転の強度を中程度にしたり、中華料理や酒類などを温める場合には空気清浄運転の強度を強めたりすることが好ましい。さらには、調理時間や加熱時間に応じて、空気清浄運転の強度や運転期間が登録されていることが好ましい。
【００２０】
なお、当然ながら、調理の種類には、和食や洋食などのジャンルに限らない。「サンマの塩焼き」はニオイが出そうと判断して運転強度を強くして、「切り干し大根」ならニオイが出なさそうと判断して運転強度を強くしない、という制御が考えられる。また、「調理方法」、たとえば「焼き料理」「あぶり料理」「蒸し料理」「煮込み料理」によって運転強度を決定してもよい。さらには、「使用する素材」、たとえば「ニンニク」を使った料理を作る際には、運転強度を強くする、という制御が考えられる。
【００２１】
また、制御対象は、運転強度に限らず、運転モードを変更するものであってもよい。たとえば、ＣＰＵ１１０は、和食料理を加熱する場合に、空気清浄機３００に静音モードで運転させたり、中華料理を加熱する場合に、空気清浄機３００に消臭モードで運転させたりしてもよい。
【００２２】
図５を参照して、本実施の形態にかかる機器情報データ１２２は、電気機器２００や空気清浄機３００毎に、主に、機器の識別情報と、機器のユーザの識別情報と、機器のユーザの名前と、機器の通信用アドレスなどの対応関係を含む。
【００２３】
図２に戻って、操作部１４０は、サービスの管理者などの命令を受け付けて、当該命令をＣＰＵ１１０に入力する。
【００２４】
通信インターフェイス１６０は、ＣＰＵ１１０からのデータを、インターネット、キャリア網、ルータなどを介して、空気清浄機３００や電気機器２００などの他の装置に送信する。逆に、通信インターフェイス１６０は、インターネット、キャリア網、ルータなどを介して電気機器２００や空気清浄機３００などの他の装置からのデータを受信して、ＣＰＵ１１０に受け渡す。
＜サーバ１００における情報処理＞
【００２５】
次に、図６を参照しながら、本実施の形態にかかるサーバ１００における情報処理について説明する。サーバ１００のＣＰＵ１１０は、通信インターフェイス１６０を介して、電気機器２００からデータを受信すると以下の処理を実行する。
【００２６】
ＣＰＵ１１０は、受信したデータから電気機器２００の識別情報を取得する（ステップＳ１１２）。ＣＰＵ１１０は、受信したデータに含まれる電気機器２００の動作情報や測定情報に基づいて、合致する条件があるかどうか、制御情報データ１２１を検索する（ステップＳ１１４）。
【００２７】
合致する条件があった場合（ステップＳ１１６にてＹＥＳである場合）、ＣＰＵ１１０は、機器情報データ１２２を参照して、電気機器２００に対応するユーザを特定して、当該ユーザに対応する空気清浄機３００を特定する（ステップＳ１１８）。ＣＰＵ１１０は、通信インターフェイス１６０を介して、条件に合致する制御命令を空気清浄機３００に送信する（ステップＳ１２０）。
【００２８】
なお、ＣＰＵ１１０は、電気機器２００からの情報に基づいて、条件が満たされなくなった場合に、通信インターフェイス１６０を介して元の運転に戻す旨の指示を空気清浄機３００に送信することが好ましい。
【００２９】
さらに、条件毎や調理時間や調理温度などに対応する継続時間が予め定められており、ＣＰＵ１１０が、条件が満たされなくなってから上記の継続時間が経過してから、通信インターフェイス１６０を介して元の運転に戻す旨の指示を空気清浄機３００に送信するとより好ましい。
【００３０】
ただし、条件毎や調理時間や調理温度などに対応する継続時間が予め定められており、ＣＰＵ１１０が、ステップＳ１１８後に上記の継続時間が経過してから、通信インターフェイス１６０を介して元の運転に戻す旨の指示を空気清浄機３００に送信してもよい。
【００３１】
なお、合致する条件がなかった場合（ステップＳ１１６にてＮＯである場合）、ＣＰＵ１１０は、次の電気機器２００からのデータを待ち受ける。
＜電気機器２００の構成＞
【００３２】
図７を参照して、ネットワークシステム１を構成する電気機器２００の構成の一態様について説明する。本実施の形態にかかる電気機器２００は、主たる構成要素として、ＣＰＵ２１０と、メモリ２２０と、ディスプレイ２３０、操作部２４０と、通信インターフェイス２６０と、スピーカ２７０と、マイク２８０と、機器駆動部２９０と、各種センサ２９９を含む。
【００３３】
ＣＰＵ２１０は、メモリ２２０あるいは外部の記憶媒体に記憶されているプログラムを実行することによって、電気機器２００の各部を制御する。
【００３４】
メモリ２２０は、各種のＲＡＭ、各種のＲＯＭなどによって実現され、電気機器２００に内包されているものであってもよいし、電気機器２００の各種インターフェイスに着脱可能なものであってもよいし、電気機器２００からアクセス可能な他の装置の記録媒体であってもよい。メモリ２２０は、ＣＰＵ２１０によって実行されるプログラムや、ＣＰＵ２１０によるプログラムの実行により生成されたデータ、操作部２４０を介して入力されたデータ、リモコンから受信したデータ、ルータやインターネットを介してサーバ１００から受信したデータなどを記憶する。
【００３５】
ディスプレイ２３０は、ＣＰＵ２１０からの信号に基づいて、文字や画像などを出力する。なお、ディスプレイ２３０は、単にＬＥＤライトなどであってもよい。
【００３６】
操作部２４０は、ボタン、タッチパネルなどによって実現され、ユーザからの命令を受け付けて、当該命令をＣＰＵ２１０に入力する。なお、ディスプレイ２３０と操作部２４０とは、タッチパネルを構成してもよい。
【００３７】
通信インターフェイス２６０は、無線ＬＡＮまたは有線ＬＡＮなどの通信モジュールによって実現される。通信インターフェイス２６０は、有線通信あるいは無線通信によってサーバ１００などの他の装置との間でデータをやり取りする。すなわち、ＣＰＵ２１０は、通信インターフェイス２６０を介して、受け付けた操作命令や現在の動作状態や各種センサで測定した測定結果をサーバ１００などの他の装置に送信したり、逆にサーバ１００などの他の装置から各種の情報を受信したりする。
【００３８】
スピーカ２７０は、ＣＰＵ２１０からの音声データに基づいて音声メッセージなどを出力する。マイク２８０は、ユーザの声などを取得して音声データをＣＰＵ１１０に入力する。
【００３９】
機器駆動部２９０は、ＣＰＵ２１０からの信号に基づいて、電気機器の各部（モータやヒータやアンテナなど）を制御する。たとえば、電子レンジ２００Ａに関しては、機器駆動部２９０は、加熱調理のためのアンテナや回転テーブルであったりする。
【００４０】
各種センサ２９９は、温度センサ、湿度センサ、ホコリセンサ、ニオイセンサや、人感センサなどであって、測定結果をＣＰＵ２１０に入力する。
＜空気清浄機３００の構成＞
【００４１】
図８を参照して、ネットワークシステム１を構成する空気清浄機３００の構成の一態様について説明する。本実施の形態にかかる空気清浄機３００は、主たる構成要素として、ＣＰＵ３１０と、メモリ３２０と、ディスプレイ３３０、操作部３４０と、通信インターフェイス３６０と、スピーカ３７０と、マイク３８０と、機器駆動部３９０と、ホコリセンサ３９８と、ニオイセンサ３９９とを含む。
【００４２】
ＣＰＵ３１０は、メモリ３２０あるいは外部の記憶媒体に記憶されているプログラムを実行することによって、空気清浄機３００の各部を制御する。
【００４３】
メモリ３２０は、各種のＲＡＭ、各種のＲＯＭなどによって実現され、空気清浄機３００に内包されているものであってもよいし、空気清浄機３００の各種インターフェイスに着脱可能なものであってもよいし、空気清浄機３００からアクセス可能な他の装置の記録媒体であってもよい。メモリ３２０は、ＣＰＵ３１０によって実行されるプログラムや、ＣＰＵ３１０によるプログラムの実行により生成されたデータ、操作部３４０を介して入力されたデータ、リモコンから受信したデータ、ルータやインターネットを介してサーバ１００から受信したデータなどを記憶する。
【００４４】
ディスプレイ３３０は、ＣＰＵ３１０からの信号に基づいて、文字や画像などを出力する。なお、ディスプレイ３３０は、単にＬＥＤライトなどであってもよい。
【００４５】
操作部３４０は、ボタン、タッチパネルなどによって実現され、ユーザからの命令を受け付けて、当該命令をＣＰＵ３１０に入力する。なお、ディスプレイ３３０と操作部３４０とは、タッチパネルを構成してもよい。
【００４６】
通信インターフェイス３６０は、無線ＬＡＮまたは有線ＬＡＮなどの通信モジュールによって実現される。通信インターフェイス３６０は、有線通信あるいは無線通信によってサーバ１００などの他の装置との間でデータをやり取りする。すなわち、ＣＰＵ３１０は、通信インターフェイス３６０を介して、サーバ１００などの他の装置から制御命令や各種の情報を受信したり、当該他の装置に各種の情報を送信したりする。
【００４７】
スピーカ３７０は、ＣＰＵ３１０からの音声データに基づいて音声メッセージなどを出力する。マイク３８０は、ユーザの声などを取得して音声データをＣＰＵ１１０に入力する。
【００４８】
ホコリセンサ３９８は、空気中に含まれるホコリを検知して、検知結果をＣＰＵ３１０に入力する。
【００４９】
ニオイセンサ３９９は、空気中に含まれるニオイを検知して、検知結果をＣＰＵ３１０に入力する。
【００５０】
機器駆動部３９０は、ＣＰＵ３１０からの信号に基づいて、電気機器の各部（モータやヒータなど）を制御する。たとえば、本実施の形態においては、ＣＰＵ３１０は、操作部３４０やリモコンを介して、あるいは通信インターフェイス３６０を介してサーバ１００から、各種モードや風量や風向きや加湿や除湿やニオイ除去やイオン発生などに関する命令を受け付けて、当該命令に基づいて機器駆動部３９０を制御する。
【００５１】
また、本実施の形態においては、ＣＰＵ３１０は、自動運転モードにおいて、ホコリセンサ３９８がホコリを検知したり、ニオイセンサ３９９がニオイを検知したりすると、機器駆動部３９０を制御して空気清浄運転の強度を高める。そして、特に、ＣＰＵ３１０は、ホコリセンサ３９８やニオイセンサ３９９の検知結果にかかわらず、サーバ１００からの制御命令に基づいて空気清浄運転の強度を高めたり、低めたりする。
＜空気清浄機３００における情報処理＞
【００５２】
次に、図９を参照しながら、本実施の形態にかかる空気清浄機３００における情報処理について説明する。空気清浄機３００のＣＰＵ３１０は、通信インターフェイス３６０を介して、サーバ１００から制御命令を受け付けると（ステップＳ１３２にてＹＥＳである場合）、当該制御命令に従って機器駆動部３９０を運転させる（ステップＳ１３４）。たとえば、電子レンジ２００Ａが加熱調理を開始した際などに、サーバ１００からの制御命令に基づいて、ＣＰＵ３１０は空気清浄運転の強度を強に設定する。
【００５３】
ＣＰＵ１１０は、サーバ１００から制御命令を受け付けていない場合（ステップＳ１３２にてＮＯである場合）、ホコリセンサ３９８やニオイセンサ３９９に測定させる（ステップＳ１３６）。ホコリやニオイが検知された場合（ステップＳ１３８にてＹＥＳである場合）、ＣＰＵ３１０は、機器駆動部３９０による空気清浄運転の強度を強に設定する。（ステップＳ１４０）。ホコリやニオイが検知されなかった場合（ステップＳ１３８にてＮＯである場合）、ＣＰＵ３１０は、機器駆動部３９０による空気清浄運転の強度を弱に設定する（ステップＳ１４２）。
＜第２の実施の形態＞
【００５４】
電気機器２００や空気清浄機３００は、ユーザだけでなく、配置される位置、たとえば配置される部屋の識別情報など、にも対応づけられていることが好ましい。
【００５５】
具体的には、図１０に示すように、機器情報データ１２２Ｂが、電気機器２００や空気清浄機３００毎に、主に、機器の識別情報と、機器のユーザの識別情報と、機器のユーザの名前と、機器の通信用アドレスと、機器が配置される部屋の識別情報などの対応関係を含む。
【００５６】
そしてこの場合は、図６のステップＳ１１８において、ＣＰＵ１１０は、機器情報データ１２２Ｂを参照して、電気機器２００に対応するユーザと部屋とを特定して、当該ユーザと部屋とに対応する空気清浄機３００を特定する。
＜第３の実施の形態＞
【００５７】
上記の実施の形態においては、電気機器２００として、電子レンジ２００Ａを例に挙げて説明したが、当然に電気機器２００は電子レンジ２００Ａには限られない。
【００５８】
たとえば、自動調理鍋の調理や冷蔵庫の開閉や換気扇の運転などに応じて、サーバ１００が空気清浄機３００を制御してもよい。
【００５９】
あるいは、ペット用のトイレの制御部が、ペットが排泄したことをサーバ１００に提供し、サーバ１００が空気清浄機３００を運転させてもよい。さらには、ペット用のトイレの制御部が、ペットの排泄物の量をサーバ１００に提供し、サーバ１００が排泄物に応じて空気清浄機３００を運転させてもよい。たとえば、サーバ１００のＣＰＵ１１０は、排泄物が１０グラム未満の場合は、通信インターフェイス１６０を介して空気清浄機３００に運転強度：「弱」かつ運転時間：「１０分」を送信し、排泄物が１０グラム以上５０グラム未満の場合は、通信インターフェイス１６０を介して空気清浄機３００に運転強度：「中」かつ運転時間：「１５分」を送信し、排泄物が５０グラム以上の場合は、通信インターフェイス１６０を介して空気清浄機３００に運転強度：「強」かつ運転時間：「２０分」を送信してもよい。
＜第４の実施の形態＞
【００６０】
また上記の実施の形態においては、電気機器２００の運転状態によって生じると予想されるニオイを空気調和機によって有効に抑えるものであった。しかしながら、このような形態には限られない。たとえば、上記の技術は、電気機器２００の運転状態によって生じると予想される空気の汚れを空気調和機によって有効に抑えるためのネットワークシステム１に適用することができる。あるいは、上記の技術は、電気機器２００の運転状態によって生じると予想される温度変化を空気調和機によって有効に抑えるためのネットワークシステム１に適用することができる。
＜第５の実施の形態＞
【００６１】
上記の実施の形態のネットワークシステム１の各装置の役割の一部または全部を他の装置が実行してもよい。たとえば、サーバ１００や電気機器２００や空気清浄機３００の各々の役割の一部または全部を別の装置が担ったり、サーバ１００や電気機器２００や空気清浄機３００の各々の役割の一部または全部を複数の装置で担ったり、サーバ１００や電気機器２００や空気清浄機３００のいずれかがサーバ１００や電気機器２００や空気清浄機３００のいずれかの役割の一部または全部を担ったりしてもよい。たとえば、サーバ１００の役割がクラウド上の複数のサーバによって実現されたり、空気清浄機３００と通信可能なスマートフォンによって実現されたり、空気清浄機３００がローカルで実現したりしてもよい。
＜まとめ＞
【００６２】
上記の実施の形態においては、空気調和機と、１または複数の電気機器と、１または複数の電気機器からの情報に基づいて、空気調和機を制御するためのサーバと、を備えるネットワークシステムが提供される。
【００６３】
好ましくは、空気調和機は、ニオイセンサを含み、ニオイセンサの検知結果よりもサーバからの指示を優先する。
【００６４】
好ましくは、サーバは、１または複数の電気機器から発すると予想されるニオイの種類に基づいて、空気調和機を制御する。
【００６５】
好ましくは、サーバは、１または複数の電気機器から発すると予想されるニオイの程度に基づいて、空気調和機を制御する。
【００６６】
好ましくは、サーバは、１または複数の電気機器から発すると予想される室温の変化に基づいて、空気調和機を制御する、請求項１から４のいずれか１項に記載のネットワークシステム。
【００６７】
好ましくは、サーバは、１または複数の電気機器から発すると予想される室内の空気の汚れの程度に基づいて、空調機器を制御する。
【００６８】
上記の実施の形態においては、空気調和機と、１または複数の電気機器と、通信するための通信インターフェイスと、通信インターフェイスを介して、１または複数の電気機器からの情報に基づいて、空気調和機を制御するためのプロセッサと、を備えるサーバが提供される。
【００６９】
上記の実施の形態においては、１または複数の電気機器からの情報を取得するステップと、情報に基づいて、対応する空気調和機を制御するステップと、を備える情報処理方法が提供される。
【００７０】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００７１】
１          ：ネットワークシステム
１００      ：サーバ
１１０      ：ＣＰＵ
１２０      ：メモリ
１２１      ：制御情報データ
１２２      ：機器情報データ
１２２Ｂ    ：機器情報データ
１４０      ：操作部
１６０      ：通信インターフェイス
２００      ：電気機器
２００Ａ    ：電子レンジ
２００Ｂ    ：エアコン
２１０      ：ＣＰＵ
２２０      ：メモリ
２３０      ：ディスプレイ
２４０      ：操作部
２６０      ：通信インターフェイス
２７０      ：スピーカ
２８０      ：マイク
２９０      ：機器駆動部
２９９      ：センサ
３００      ：空気清浄機
３１０      ：ＣＰＵ
３２０      ：メモリ
３３０      ：ディスプレイ
３４０      ：操作部
３６０      ：通信インターフェイス
３７０      ：スピーカ
３８０      ：マイク
３９０      ：機器駆動部
３９８      ：ホコリセンサ
３９９      ：ニオイセンサ
４００      ：ルータ
【図１】
2020060318.tif 000003
【図２】
2020060318.tif 000004
【図３】
2020060318.tif 000005
【図４】
2020060318.tif 000006
【図５】
2020060318.tif 000007
【図６】
2020060318.tif 000008
【図７】
2020060318.tif 000009
【図８】
2020060318.tif 000010
【図９】
2020060318.tif 000011
【図１０】
2020060318.tif 000012